(57)【要約】【課題】本発明は、意匠効果を奏する木管楽器用リードを提供することを課題とする。【解決手段】本発明に係る木管楽器用リードは、合成樹脂をマトリックスとし、長手方向先端側にヴァンプを有する帯板状の木管楽器用リードであって、前記マトリックスが透明であり、１又は複数の発光要素を有することを特徴とする。前記１又は複数の発光要素が、長手方向後端近傍に配設され、先端側に出光するＬＥＤを有するとよい。前記１又は複数の発光要素が蓄光性フィラーであるとよい。裏面側に反射層をさらに有するとよい。前記反射層が開口を有するとよい。【選択図】図４
2017134159.tif 000002
【特許請求の範囲】
【請求項１】
合成樹脂をマトリックスとし、長手方向先端側にヴァンプを有する帯板状の木管楽器用リードであって、
前記マトリックスが透明であり、
１又は複数の発光要素を有することを特徴とする木管楽器用リード。
【請求項２】
前記１又は複数の発光要素が、長手方向後端近傍に配設され、先端側に出光するＬＥＤを有する請求項１に記載の木管楽器用リード。
【請求項３】
前記１又は複数の発光要素が蓄光性フィラーである請求項１に記載の木管楽器用リード。
【請求項４】
裏面側に反射層をさらに有する請求項１、請求項２又は請求項３に記載の木管楽器用リード。
【請求項５】
前記反射層が開口を有する請求項４に記載の木管楽器用リード。
【発明の詳細な説明】
【技術分野】
【０００１】
本発明は、木管楽器用リードに関する。
【背景技術】
【０００２】
例えばサクソフォン、クラリネット等の木管楽器は、奏者が息を吹き込む唄口に取り付けられる帯板状のリードを振動させることによって音を発生させる。木管楽器用リードは、一般に葦や竹などの天然素材から形成され、奏者が口に咥える側の長手方向端部（先端部）に向かって厚さを徐々に減少させるよう表面を削り落としたヴァンプ（Ｖａｍｐ）が設けられている。
【０００３】
このような天然素材から形成される木管楽器用リードは、個々のばらつきが比較的大きく、また、寿命が比較的短いという不都合がある。このため、合成樹脂から形成され、品質が一定で耐久性に優れるリードが市販されている。
【０００４】
しかしながら、合成樹脂製リードは、その振動特性等の物性が天然素材から形成されるリードとは異なるため、音色や演奏性が十分とはいえない。そこで、合成樹脂製リードを形成する樹脂組成物にセルロース繊維を配合することで、合成樹脂製リードの振動特性を向上することが提案されている（例えば特開２００８−１９７４５０号公報参照）。
【０００５】
このように、合成樹脂製リードの振動特性を改善することは検討されているが、その意匠性についての提案は見られない。一般に、合成樹脂から形成される製品には、着色のための顔料が配合される。しかしながら、木管楽器本体に比して極めて小さい木管楽器用リードに着色するだけでは、聴衆の注意を引くことはできない。
【先行技術文献】
【特許文献】
【０００６】
【特許文献１】特開２００８−１９７４５０号公報
【発明の概要】
【発明が解決しようとする課題】
【０００７】
前記不都合に鑑みて、本発明は、意匠効果を奏する木管楽器用リードを提供することを課題とする。
【課題を解決するための手段】
【０００８】
前記課題を解決するためになされた発明は、合成樹脂をマトリックスとし、長手方向先端側にヴァンプを有する帯板状の木管楽器用リードであって、前記マトリックスが透明であり、１又は複数の発光要素を有することを特徴とする木管楽器用リードである。
【０００９】
当該木管楽器用リードは、マトリックスが透明であり、１又は複数の発光要素を有することによって、発光要素が発した光を外部に放射することができる。このため、当該木管楽器用リードは、聴衆の視覚に訴える意匠効果を奏することができ、奏者の口元を目立たせ得る。なお、「透明」とは、透光性を有すること、つまり少なくとも一部の光を透過させることを意味し、無色透明だけでなく、有色透明（波長により透過率が異なるもの）、半透明（比較的透過率が小さいもの）等を含む概念である。
【００１０】
前記１又は複数の発光要素が、長手方向後端近傍に配設され、先端側に出光するＬＥＤを有してもよい。このように、前記１又は複数の発光要素が、長手方向後端近傍に配設され、先端側に出光するＬＥＤを有することによって、当該木管楽器用リードの振動特性に悪影響を与えることなく、比較的強い光を発することができ、演奏者をより目立たせることができる。
【００１１】
前記１又は複数の発光要素が蓄光性フィラーであるとよい。このように、前記１又は複数の発光要素が蓄光性フィラーであることによって、電池等のエネルギー源が不要であり、既存の木管楽器で容易に使用することができる。
【００１２】
裏面側に反射層をさらに有するとよい。このように、裏面側に反射層をさらに有することによって、発光要素が発した光を木管楽器の外側に向けて放射することができるので、視覚効果を向上できる。
【００１３】
前記反射層が開口を有するとよい。このように、反射層が開口を有することによって、当該木管楽器用リードをマウスピースに装着する際に、反射層の開口を通してマウスピースとの相対位置を確認し、マウスピースに対して位置決めすることで、当該木管楽器用リードを容易かつ正確に取り付けることができる。
【発明の効果】
【００１４】
以上のように、本発明の木管楽器用リードは、意匠効果を奏することができる。
【図面の簡単な説明】
【００１５】
【図１】本発明の一実施形態の木管楽器用リードが取り付けられたサクソフォンを示す模式的斜視図である。
【図２】図１のサクソフォンのマウスピースを示す模式的断面図である。
【図３】図１のサクソフォンの木管楽器用リードを示す模式的平面図である。
【図４】図３の木管楽器用リードを示す模式的断面図である。
【図５】本発明の図３とは異なる実施形態の木管楽器用リードを示す模式的平面図である。
【図６】本発明の図３及び図５とは異なる実施形態の木管楽器用リードを示す模式的断面図である。
【図７】本発明の図３、図５及び図６とは異なる実施形態の木管楽器用リードを示す模式的断面図である。
【発明を実施するための形態】
【００１６】
以下、適宜図面を参照しつつ、本発明の実施の形態を詳説する。
【００１７】
［第一実施形態］
＜サクソフォン＞
図１に、本発明の一実施形態に係る木管楽器用リード１を用いる木管楽器の一種であるサクソフォンを示す。
【００１８】
図１のサクソフォンは、サクソフォン本体２の一端に当該木管楽器用リード１を取り付けたマウスピース３が装着されている。
【００１９】
サクソフォン本体２は、一端にマウスピース３が装着され、他端が径を拡大するようにして開放する屈曲した管体部４を備え、この管体部４に形成される複数の音孔をそれぞれ封止可能に設置される複数のキイ５と、これらのキイ５を操作するためのレバー６等を有する。このサクソフォン本体２の構成は、従来のサクソフォン本体の構成と同様とすることができる。
【００２０】
マウスピース３は、サクソフォン本体２の一端に装着され、奏者がサクソフォン本体２に息を吹き込み、当該木管楽器用リード１を振動させるために使用される。
【００２１】
マウスピース３は、図２に示すように、概略筒状に形成され、奏者が口に咥える一端側が平たく押し潰されたような形状を有し、奏者の下唇に接触する側が大きく開口し、この開口を封止するよう当該木管楽器用リード１が取り付けられる。当該木管楽器用リード１は、マウスピース３の外周に装着されるリガチャ７によってマウスピース３に固定される。これらのマウスピース３及びリガチャ７としては、従来の構成のものを使用することができる。
【００２２】
なお、当該木管楽器用リード１は、図１のようなサクソフォンに限らず、例えばクラリネット等の他の木管楽器にも使用することができ、例えばオーボエ、ファゴット等の２枚のリードを使用する木管楽器にも使用することができる。２枚のリードを使用する木管楽器の場合、２枚のリードのうち一方にのみ当該木管楽器用リード１を用い、他方に天然素材から形成される従来のリード又は保湿材料を含有しない従来の樹脂製リードを用いてもよい。
【００２３】
＜木管楽器用リード＞
図３及び図４に、当該木管楽器用リード１を詳細に示す。当該木管楽器用リード１は、透明な合成樹脂をマトリックスとして帯板状に形成され、長手方向先端側に厚さを減じるヴァンプを有するリード本体８を有する。また、当該木管楽器用リード１は、リード本体８の長手方向後端（ヒール側の端部）近傍に配設され、先端側に出光する１つの発光要素９を有する。
【００２４】
また、当該木管楽器用リード１は、リード本体８の長手方向後端に、前記発光要素９に給電する配線を接続するためのコネクタ１０を有する。さらに、当該木管楽器用リード１は、リード本体８の裏面側（マウスピース３に取り付けられる側の面）に形成される反射層１１を有する。
【００２５】
当該木管楽器用リード１は、ヴァンプが形成されていない部分の表面（マウスピース３に取り付けられる側と反対側の面）が円筒面の一部をなすように湾曲している。この湾曲面は、裏面と平行な長手方向の軸を有し、表面側に膨出するものとされる。これにより、当該木管楽器用リード１は、図１及び図２に示すように、ヴァンプが形成されていない部分がリガチャ７で緊締されることによってマウスピース３の外面に表面が連続するようマウスピース３と一体に保持される。
【００２６】
ヴァンプは、奏者が口に咥える側の先端部に向かって当該木管楽器用リード１の厚さを徐々に減少させるよう形成されている。より詳しくは、ヴァンプは、一般に当該木管楽器用リード１のヒール側程傾斜角度が大きくなるよう湾曲し、先端側は略平面状に伸びるよう形成される。このヴァンプの湾曲形状としては、従来のリードに形成されるヴァンプの湾曲形状と同様とされる。
【００２７】
つまり、当該木管楽器用リード１の概略形状としては、葦等から形成される従来のリードと同様の形状とされる。当該木管楽器用リード１の概略形状の具体的な寸法としては、当該木管楽器用リード１がアルトサックス用のリードである場合、幅を約１５ｍｍ、長さを約７０ｍｍ、ヴァンプが形成されていない部分の最大厚さを約３ｍｍ、ヴァンプの先端における厚さを約０．１５ｍｍとすることができる。
【００２８】
（リード本体）
当該木管楽器用リード１のリード本体８を形成する材料のマトリックスとなる合成樹脂としては、透明性を有するものであればよく、例えばポリエチレン、ポリプロピレン、ポリスチレン、ポリエステル、ポリアミド、アクリル樹脂、液晶ポリマー、フェノール樹脂、エポキシ樹脂、メラミン樹脂、ユリア樹脂、ポリウレタン等を用いることができる。中でも、当該木管楽器用リード１を射出成型によって形成する場合には、マトリックスとなる合成樹脂としてポリプロピレンが好適に用いられる。
【００２９】
リード本体８を合成樹脂をマトリックスとする材料によって形成することで、材質の物性を一定にすることができる。このため、当該木管楽器用リード１は、一定の振動特性を有するものとなるので、発生する音色のばらつきが小さい。
【００３０】
また、リード本体８を形成する材料は、マトリックス中に例えば木繊維、竹繊維等の天然繊維、ガラス繊維等の無機繊維、ポリアミド繊維等の合成繊維などを含んでもよい。中でも、当該木管楽器用リード１を形成する材料のマトリックス中に含まれる繊維としては、ガラス繊維等の透明であるものが好ましい。このようなマトリックス中の繊維は、当該木管楽器用リード１の剛性を向上する。
【００３１】
リード本体８を形成する材料における繊維の含有率の下限としては、特に限定されないが、５質量％が好ましく、１０質量％がより好ましい。一方、リード本体８を形成する材料における繊維の含有率の上限としては、５０質量％が好ましく、３０質量％がより好ましい。前記繊維の含有率が前記下限に満たない場合、当該木管楽器用リード１の剛性を十分に向上できないおそれがある。逆に、前記繊維の含有率が前記上限を超える場合、リード本体８の透光性が不十分となり、発光要素９が発した光を当該木管楽器用リード１の外部に出射できなくなるおそれがある。
【００３２】
リード本体８を形成する材料に含有される繊維の平均長さの下限としては、３μｍが好ましく、５μｍがより好ましい。一方、リード本体８を形成する材料に含有される繊維の平均長さの上限としては、５０μｍが好ましく、３０μｍがより好ましい。前記繊維の平均長さが前記下限に満たない場合、当該木管楽器用リード１の剛性を十分に向上できないおそれがある。逆に、前記繊維の平均長さが前記上限を超える場合、リード本体８の射出成型による製造が困難となるおそれがある。
【００３３】
また、リード本体８を形成する材料は、上述の繊維の他、例えば着色のための顔料、改質剤等の添加剤を含んでもよい。特に顔料は、リード本体８の透明性を損なわない範囲で用いることができ、リード本体８の全体に均等に含まれる必要はなく、１又は複数種類の顔料を模様を描くよう偏在して含有させてもよい。
【００３４】
当該木管楽器用リード１のリード本体８を形成する材料の弾性率の下限としては、３０００ＭＰａが好ましく、４０００ＭＰａが好ましい。一方、リード本体８を形成する材料の弾性率の上限としては、１００００ＭＰａが好ましく、８０００ＭＰａが好ましい。リード本体８を形成する材料の弾性率が前記下限に満たない場合、音速が小さく、音響効果が不十分となるおそれがある。逆に、リード本体８を形成する材料の弾性率が前記上限を超える場合、当該木管楽器用リード１が硬くなり過ぎるために十分な振動が得られないおそれがある。なお、前記弾性率は、ＪＩＳ−Ｋ７１７１（２００８）に準拠して測定される値である。
【００３５】
（発光要素）
発光要素９としては、例えばＬＥＤ（発光ダイオード）が形成された半導体チップ、ＬＥＤのディスクリート素子等を用いることができる。比較的エネルギー効率に優れ、かつ比較的光量が大きいＬＥＤを有するものを発光要素９として用いることによって、当該木管楽器用リード１の意匠効果をより確実に高めることができる。
【００３６】
発光要素９は、少なくとも当該木管楽器用リード１の先端側に向かって光を発することができるよう配設される。ここで、「先端側に向かって光を発する」とは、指向性を有することまでは要求せず、少なくとも一部の光が先端側に配光されることを意味する。
【００３７】
発光要素９の配設方法としては、当該木管楽器用リード１に形成した穴又は溝の中に配置して接着剤等で固定する方法を用いることもできるが、当該木管楽器用リード１を射出成型する際に後述するコネクタ１０と共に金型内に配置するインサート成型が好適に用いられる。
【００３８】
発光要素９を当該木管楽器用リード１の後端近傍に配設することで、当該木管楽器用リード１をマウスピース３に装着する際にリガチャ７と干渉しないように、発光要素９に給電するための配線を配置することが容易となる。
【００３９】
発光要素９が発する光の色としては、特に限定されないが、例えば広い範囲の波長を含む白色とすることができる。
【００４０】
（コネクタ）
コネクタ１０は、マウスピース３及びリガチャ７に干渉しないよう、当該木管楽器用リード１の後端に、配線を着脱可能に接続できるよう部分的に露出して配設されることが好ましい。
【００４１】
また、コネクタ１０は、マウスピース３及びリガチャ７に干渉しない大きさで、発光要素９に給電するための配線を着脱可能に接続できるものであればよいが、演奏時に脱離しないよう係止機構を有するものが好ましく、繰り返し着脱できるよう接点の耐久性に優れるものが好ましい。
【００４２】
このコネクタ１０に接続される電源は、サクソフォン本体２に固定してもよく、演奏者が所持してもよく、サクソフォン本体２を支持するためのネックストラップに固定してもよい。
【００４３】
（反射層）
反射層１１は、発光要素９が発する光を反射して当該木管楽器用リード１からマウスピース３に向けて出射しないようにすることで、発光要素９が発する光の利用効率を向上する。
【００４４】
この反射層１１としては、例えば金属蒸着膜、合成樹脂マトリックス中に光拡散微粒子を分散して形成される層等を用いることができる。
【００４５】
反射層１１の平均厚さとしては、材質や形成方法に応じた必要最小限とすればよく、金属蒸着膜の場合は例えば１０ｎｍ以上５００ｎｍ以下、光拡散微粒子分散層の場合は例えば２０μｍ以上２００μｍ以下とすることができる。
【００４６】
＜製造方法＞
当該木管楽器用リード１は、合成樹脂をマトリックスとする樹脂組成物の金型を用いた射出成型によって製造することができる。この場合、反射層１１は、予め層状に形成したものを金型内に配置するインサート成型によって配設してもよく、射出成型後に積層してもよい。また、当該木管楽器用リード１は、製品の品質を一定に保つために、射出成型後に、金型のキャビティ内への樹脂組成物の充填が不安定になりやすい末端部、具体的には長手方向先端縁を切除するようにしてもよい。
【００４７】
また、当該木管楽器用リード１は、合成樹脂をマトリックスとする母材からの削り出しによってリード本体８を形成してもよい。
【００４８】
＜利点＞
当該木管楽器用リード１は、上述のように、発光要素９が発した光を外部に放射することができるので、聴衆の視覚に訴える意匠効果を奏することができる。
【００４９】
また、当該木管楽器用リード１が外部に放射する光は、当該木管楽器用リード１の振動に伴って例えば光り具合が変化し得る。このため、当該木管楽器用リード１を用いることによって、演奏状態を確認しやすくすることもできる。
【００５０】
［第二実施形態］
図５に、本発明の別の実施形態に係る木管楽器用リード１ａを示す。当該木管楽器用リード１ａは、合成樹脂をマトリックスとし、帯板状に形成され、長手方向先端側にヴァンプを有するリード本体８を備える。
【００５１】
また、当該木管楽器用リード１ａは、リード本体８の長手方向後端に配設され、先端側に出光するＬＥＤを有する１つの発光要素９と、リード本体８の長手方向後端に、前記発光要素９に給電する配線を接続するためのコネクタ１０と、リード本体８の裏面側に形成される反射層１１ａとを有する。
【００５２】
図５の木管楽器用リード１ａの構成は、反射層１１ａの平面形状を除いて、図３の木管楽器用リード１の構成と同様である。このため、図５の木管楽器用リード１ａについて、図３の木管楽器用リード１と重複する説明は省略する。
【００５３】
＜反射層＞
反射層１１ａは、部分的に光を透過するよう１又は複数の開口１１が形成されている。当該木管楽器用リード１ａは、前記開口１１を通してマウスピース３を視認することができるので、マウスピース３に対する位置決めが容易である。
【００５４】
開口１１の平面形状としては、任意の形状とすることができ、反射層１１ａを複数に分割するようなスリット状であってもよい。
【００５５】
また、開口１１の数、大きさ及び配置も任意に変更することができる。
【００５６】
［第三実施形態］
図６に、本発明の別の実施形態に係る木管楽器用リード１ｂを示す。当該木管楽器用リード１ｂは、合成樹脂をマトリックスとし、帯板状に形成され、長手方向先端側にヴァンプを有するリード本体８ｂを備える。
【００５７】
また、当該木管楽器用リード１ｂは、リード本体８ｂの長手方向後端近傍に配設され、先端側に出光するＬＥＤを有する１つの発光要素９と、リード本体８ｂの長手方向後端に、前記発光要素９に給電する配線を接続するためのコネクタ１０と、リード本体８ｂの裏面側に形成される反射層１１とを有する。
【００５８】
さらに、当該木管楽器用リード１ｂは、リード本体８ｂのマトリックス中にランダムに分散される複数の光学要素１２を有する。この光学要素１２は、リード本体８ｂのマトリックス中に規則正しく配列して配設されてもよい。
【００５９】
図６の木管楽器用リード１ｂの構成は、光学要素１２を有することを除いて、図４の木管楽器用リード１の構成と同様である。このため、図６の木管楽器用リード１ｂについて、図４の木管楽器用リード１と重複する説明は省略する。
【００６０】
＜光学要素＞
光学要素１２は、光を反射、散乱、屈折又は分光する光学機能を有する部材である。光学要素１２としては、例えば小さく切断した金属箔又は金属蒸着フィルム、マトリックスとなる合成樹脂と屈折率が異なる材料から形成される透明粒子、微細なプリズム等を用いることができる。
【００６１】
木管楽器用リード１ｂは、このような光学要素１２を含むことによって、外部に出射する光に部分的な強弱や波長（色）の変化が生じるので、より高い視覚効果を奏することができる。
【００６２】
［第四実施形態］
図７に、本発明の別の実施形態に係る木管楽器用リード１ｃを示す。当該木管楽器用リード１ｂは、合成樹脂をマトリックスとし、帯板状に形成され、長手方向先端側にヴァンプを有するリード本体８ｃを備える。
【００６３】
また、当該木管楽器用リード１ｃは、蓄光性フィラーからなり、前記リード本体８ｃのマトリックス中に分散される複数の発光要素９ｃと、リード本体８ｃの裏面側に形成される反射層１１とを有する。を有する。
【００６４】
＜発光要素＞
発光要素９ｃとされる蓄光性フィラーの主成分としては、例えば硫化亜鉛、アルミン酸ストロンチウム等の公知の蓄光材料を用いることができる。
【００６５】
このように、当該木管楽器用リード１ｃは、蓄光性フィラーから形成される発光要素９ｃを有することで、電池等のエネルギー源を必要とせず光を発することができるので、既存の木管楽器で容易に使用することができる。
【００６６】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００６７】
当該木管楽器用リードにおいて、発光要素は複数のＬＥＤ素子を有するものであってもよい。また、当該木管楽器用リードは、１又は複数のＬＥＤを有する発光要素を複数有してもよい。また、ＬＥＤからなる発光要素を、当該木管楽器用リードの後端近傍以外の場所に配設してもよい。
【００６８】
当該木管楽器用リードにおいて、発光要素は、ＬＥＤを有するもの又は蓄光フィラーに限定されず、例えば有機ＥＬ、蛍光管、プラズマ発光素子、これらの組み合わせ等、任意の発光体を有するものとすることができる。
【００６９】
当該木管楽器用リードは、発光要素の電源を後端側に内蔵するものであってもよい。また、当該木管楽器用リードは、後端側の裏面に電池を配置する凹部を設け、マウスピースに当該木管楽器用リードを装着してリガチャにより緊締することで、電池が発光要素に給電可能に保持される構成としてもよい。
【００７０】
当該木管楽器用リードにおいて、反射層は省略してもよく、例えばヴァンプが形成されていない部分の裏面側等に部分的に形成してもよい。
【００７１】
当該木管楽器用リードにおいて、蓄光性フィラーからなる発光要素は、当該木管楽器用リードの中に部分的に配置されてもよい。具体的には、当該木管楽器用リードの中心付近に集合するように集まってもよい。また、当該木管楽器用リードは、蓄光性フィラーを樹脂（当該木管楽器用リードのマトリックスと同じでもよく、異なってもよい）で固めた１又は複数の成形体からなるものを有してもよい。
【産業上の利用可能性】
【００７２】
本発明の木管楽器用リードは、サクソフォンだけでなく、リードを使用する他の木管楽器に広く利用することができる。
【符号の説明】
【００７３】
１，１ａ，１ｂ，１ｃ  木管楽器用リード
２  サクソフォン本体
３  マウスピース
４  管体部
５  キイ
６  レバー
７  リガチャ
８，８ｂ，８ｃ  リード本体
９，９ｃ  発光要素
１０  コネクタ
１１，１１ａ  反射層
１２  開口
１３  光学要素
【図１】
2017134159.tif 000003
【図２】
2017134159.tif 000004
【図３】
2017134159.tif 000005
【図４】
2017134159.tif 000006
【図５】
2017134159.tif 000007
【図６】
2017134159.tif 000008
【図７】
2017134159.tif 000009